(57)【要約】【課題】  農業用トンネル内外の空気の温度差によって生ずる空気の流れによりフィルム面に形成した開口の弁部を自然に開閉し、トンネル内部の過熱した空気を外部に放ち、かつ、外気温が低下した場合に外部の冷気の流入を遮り、保温性を極力維持できること。【解決手段】  合成樹脂製フィルム１１からなり、フィルム面にＳ字型の裂孔１２が形成されてなる該フィルムに一部が連続した２枚の舌状の弁部１３を持つ表面と、それを覆う合成樹脂製の網又は不織布からなる通気性部材の弁支持部１５を固着面１４において固定した裏面を持つ弁構造１６が適宜間隔で複数個配置されている。【選択図】図３
2006187268.tif 000002
【特許請求の範囲】
【請求項１】
フィルムを裂いて該フィルム表面に形成された舌状の弁部と、フィルム裏面に前記弁部の形成領域全体を覆って通気性部材を重ね合わせ、該通気性部材の周囲が前記フィルム裏面に固着された弁支持部と、からなる弁構造を備え、
前記弁構造がフィルム面に所定間隔で複数個配置されていることを特徴とする農業用保温フィルム。
【請求項２】
請求項１において、弁部がＳ字状の裂孔で形成されたフィルムに一部が連続した舌状であることを特徴とする農業用保温フィルム。
【請求項３】
請求項１または２において、弁部が複数の舌状に形成されていることを特徴とする農業用保温フィルム。
【請求項４】
請求項２または３において、弁部が裂孔を囲う円の中に形成されていることを特徴とする農業用フィルム。
【請求項５】
請求項１において、弁支持部の通気性部材が合成樹脂製の網又は不織布で形成されていることを特徴とする農業用保温フィルム。
【請求項６】
請求項１または５において、弁支持部の固着面を成す周辺部分が所定幅の合成樹脂製の補強材を固着して補強されていることを特徴とする農業用保温フィルム。
【発明の詳細な説明】
【技術分野】
【０００１】
本発明は、保温を目的として農業分野で用いられるトンネル栽培用の被覆資材に関する。
【背景技術】
【０００２】
従来の農業用保温シートに係る被覆資材は、合成樹脂のフィルムを畑の畝上にトンネル状に張るもので、外気温が低い場合でも強い日射を受けると、内部の温度が急激に上昇し、内部で栽培される植物が高温障害を受けるため、トンネル被覆資材の裾を気象状況に応じ人為的に開閉する必要があった。
【０００３】
このため、農業用ハウスの保温シートに開口を設け、この開口を人為的に開閉する換気方式も知られている。例えば、特許文献１や特許文献２などに提案されている。
【０００４】
また、合成樹脂製フィルムに所定間隔で丸い穴を穿けた製品が市販されているが、穴からの空気の流通が自由なため、保温性の面から効果が不充分である。
【０００５】
また、通気性の確保の面から、合成樹脂製の不織布を使用した農業用保温シートも周知であるが、防霜性等の利面があるが、保温性の面からは効果は不十分である。
【０００６】
【特許文献１】実開平７−１８５３８号公報
【特許文献２】特開２００４−３５７５５６号公報
【発明の開示】
【発明が解決しようとする課題】
【０００７】
トンネル栽培用の通常の合成樹脂製のフィルムは、保温性に優れるが、内部の温度の過熱を防ぐためトンネル被覆資材の裾を開閉する管理が必要である。このことは、特に外気温が低いのに関わらず、太陽の入射角が高くなり、日照が強くなる春期において欠かせない作業である。
【０００８】
また、合成樹脂製のフィルムに丸い穴を開けたものは、常時、空気の流通があり、曇天の日や風の強い日はトンネル内部の温度と外部の温度に大きな差がなく、夜間の放射冷却を防ぐためにも不十分である。
【０００９】
また、合成樹脂製の不織布による被覆は内部の過熱を防ぐことはできるが、保温性に劣る。
【００１０】
本発明の目的は、上記のような点に鑑みて創案されたもので、トンネル被覆資材の裾や開口を開閉する管理をしなくても、トンネル内外の空気の温度差によって生ずる空気の流れによりフィルム面に形成した開口の弁部を自然に開閉し、トンネル内部の過熱した空気を外部に放ち、かつ、外気温が低下した場合に外部の冷気の流入を遮り、保温性を極力維持できるようにした農業用保温フィルムを提供することである。
【課題を解決するための手段】
【００１１】
請求項１の発明は、フィルムを裂いて該フィルム表面に形成された舌状の弁部と、フィルム裏面に前記弁部の形成領域全体を覆って通気性部材を重ね合わせ、該通気性部材の周囲が前記フィルム裏面に固着された弁支持部と、からなる弁構造を備え、前記弁構造がフィルム面に所定間隔で複数個配置されていることを特徴とする。
【００１２】
請求項２の発明は、請求項１において、弁部がＳ字状の裂孔で形成されたフィルムに一部が連続した舌状であることを特徴とする。
【００１３】
請求項３の発明は、請求項１または２において、弁部が複数の舌状に形成されていることを特徴とする。
【００１４】
請求項４の発明は、請求項２または３において、弁部が裂孔を囲う円の中に形成されていることを特徴とする。
【００１５】
請求項５の発明は、請求項１において、弁支持部の通気性部材が合成樹脂製の網又は不織布で形成されていることを特徴とする。
【００１６】
請求項６の発明は、請求項１または５において、弁支持部の固着面を成す周辺部分が所定幅の合成樹脂製の補強材を固着して補強されていることを特徴とする。
【００１７】
上記の構成により、舌状の弁部がフィルム裏面に固着された通気性部材からなる弁支持部の上面（フイルム表面）側に位置されているので、弁支持部を通してフィルム裏面からフィルム表面へ向う気流によって舌状の弁部を開く力がフィルム張力（抵抗力）に打ち勝って舌状の弁部が押し開かれ、トンネル内部の過熱した空気が流出する。一方フィルム表面からフィルム裏面に向う気流によって弁部を閉じる力が働き、舌状の弁部が弁支持部の通気性部材に張付いて冷気の流入を遮る。
【００１８】
舌状の弁部を囲むフィルム裏面の外周に、弁支持部の固着面が固定されているため、トンネルを張る力と共に弁の開口に抵抗する力が働く。また、舌状の弁部がフィルムに一部が連続して形成されているので、弁部が開口する場合、構造上ねじれの力が働く。
【００１９】
従って、フィルム裏面からの空気の流出は可能であるが、弁部が開口するには上述した力を合計した力、すなわち弁部が開くのに要する力（以下、弁の抵抗力という。）を上回る力が必要である。すなわち、トンネル内部の温度は常に外部の温度より高くなっているので、常に内部から外部に向かって空気の流出する力が働くが、前述の弁の抵抗力の方が大きくなったところで弁部が閉じるため、トンネル内部の温度は常に外部の温度よりある程度以上高い温度に保たれることとなる。
【発明の効果】
【００２０】
請求項１の発明によれば、トンネル被覆資材の裾を開閉する管理をしなくても、日照の強い場合の合成樹脂製フィルムにより被覆されたトンネル内部の過熱した空気を外部に放出してトンネル内部の雰囲気を適温に保つと共に、外気温が低下した場合にトンネル外部の冷気をトンネル内部に流入するのを遮るため、保温性を極力維持できる。
【００２１】
請求項６の発明によれば、弁支持部の固着面に所定幅の合成樹脂製の補強材を固着することにより、弁部を外周方向に展張させると共に、舌状の弁部が閉じた状態をさらに確実にする。
【発明を実施するための最良の形態】
【００２２】
農業用保温フィルムは透明又は半透明の合成樹脂製フィルムからなり、フィルム面に裂孔が形成されてなるフィルム面とそれぞれ該フィルムに一部が連続する１または複数枚の舌状の弁部を持つフィルム表面と、裂孔を囲む円よりやや大きい円盤状の合成樹脂製の網又は不織布を裂孔を覆う形で重ね、その外周を接着等の方法で固着される固着面により固定される弁の支持部を持つフィルム裏面からなる弁構造とし、フィルム面上に表裏を同じくして、適宜間隔で複数個配置することで実現した。
【実施例１】
【００２３】
図１は本発明の実施例に係る弁構造のフィルム表面図、図２はフィルム裏面図、図３は２枚の舌状の弁部が開いている状態を示すフィルム表面側から見た斜視図、図４は本発明の利用場面の一例を示す外観斜視図である。
【００２４】
農業用保温フィルムは透明又は半透明の合成樹脂製フィルム１１からなり、フィルム面に所定の直径を持つ半円形の弦を、その一端を中心として角度を１８０度回転して得られる２個の前記半円形の弧により形成されるＳ字型の裂孔１２が形成されてなるフィルム面とそれぞれ一部が連続する２枚の舌状の弁部１３を持つフィルム表面と、Ｓ字型の裂孔を囲む円よりやや大きい合成樹脂製の網又は不織布をＳ字型の裂孔１２を覆う形で重ね、その外周を接着等の方法で固着される固着面１４により固定される弁の支持部１５を持つフィルム裏面からなる弁構造１６が、前記フィルム面上に表裏を同じくして、適当な間隔で複数個配置されている。
【００２５】
弁構造の他の実施例を説明する。Ｓ字型の裂孔は、ある直径を持つ半円形の弦を、その一端を中心として角度を１２０度ずつ回転して得られる３個の半円形の弧により形成されている裂孔等を含む変形例や（図５参照）、角度を９０度ずつ回転して得られる４個の半円形の弧により形成されている裂孔等を含む変形例（図６参照）により代替可能である。
【００２６】
本発明は上述の実施例に限定されるものでなく、例えば、舌状の弁部は裂孔を囲む円の中に形成されているが、これに限らず、楕円形や多角形などでも代用できる。また、弁部を形成する裂孔の形は、Ｓ字型に代表される曲線の組み合わせに限らず、Ｘ字型やＹ字型に代表される直線の組み合わせ、或いは曲線と直線の組み合わせを適宜選択し、応用される。
【００２７】
このことにより、トンネル内部の過熱した空気が流出する。尚、フィルム表面からの空気の流入は遮断されることによりトンネル外部からの冷気の流入は遮られる。しかし、トンネル内部の温度は常に外部の温度より高くなっているので、常に内部から外部に向かって空気の流出する力が働く。このため上述の弁の抵抗力を適度に保たなければならない。このためには、フィルム１１の厚さ、弾性又はＳ字型の裂孔１２の大きさ、形、数及び配置を調整する。あるいは固着面１４に、さらに輪状の合成樹脂製の補強材（図示省略）を固着することにより、舌状の弁部１３が閉じた状態を維持することをさらに確実にする。
【００２８】
本発明による農業用保温フィルムのトンネル栽培における使用法は、表面をトンネルの外側、裏面をトンネルの内側として被覆する点に注意する他は、従来のトンネルの張り方と同様である。すなわち、アーチ状の支柱２１を畝を跨ぐように一定間隔に土壌に差込、被覆資材でかまぼこ型に覆い、両端を絞って土壌面に固定する。さらにその上からテープ２２を土壌に固定しながら交互に張り渡すことによって被覆資材を固定する。
【００２９】
なお、本発明による農業用保温フィルムの利用場面は、トンネル栽培に限らず、ハウス栽培にも利用可能である。
【図面の簡単な説明】
【００３０】
【図１】本発明の実施の形態に係る弁構造の表面図である。
【図２】本発明の実施の形態に係る弁構造の裏面図である。
【図３】本発明の実施の形態に係る２枚の舌状の弁部が開いた状態を示す表面側から見た斜視図である。
【図４】本発明の利用場面の例を示す外観斜視図である。
【図５】本発明の他の実施の形態に係る１２０度ずつ回転させた３個の弁構造の表面図である。
【図６】本発明の他の実施の形態に係る９０度ずつ回転させた４個の弁構造の表面図である。
【符号の説明】
【００３１】
１１  合成樹脂製フィルム
１２  Ｓ字型の裂孔
１３  舌状の弁部
１４  固着面
１５  弁の支持部
１６  弁構造
１７  １２０度ずつ回転させた３個の裂孔
１８  ９０度ずつ回転させた４個の裂孔
【図１】
2006187268.tif 000003
【図２】
2006187268.tif 000004
【図３】
2006187268.tif 000005
【図４】
2006187268.tif 000006
【図５】
2006187268.tif 000007
【図６】
2006187268.tif 000008
【手続補正書】
【提出日】平成17年10月17日(2005.10.17)
【手続補正１】
【補正対象書類名】特許請求の範囲
【補正対象項目名】全文
【補正方法】変更
【補正の内容】
【特許請求の範囲】
【請求項１】
フィルム面にＳ字状の裂孔で形成されたフィルムに一部が連続した舌状の弁部と、フィルム裏面に前記弁部の形成領域全体を覆って通気性部材を重ね合わせ、該通気性部材の周囲が前記フィルム裏面に固着された弁支持部と、からなる弁構造を備え、
前記弁構造がフィルム面に所定間隔で複数個配置されていることを特徴とする農業用保温フィルム。
【請求項２】
請求項１記載の農業用保温フィルムにおいて、弁部が複数の舌状に形成されていることを特徴とする農業用保温フィルム。
【請求項３】
請求項１または２記載の農業用保温フィルムにおいて、弁部が裂孔を囲う円の中に形成されていることを特徴とする農業用保温フィルム。
【請求項４】
請求項１記載の農業用保温フィルムにおいて、弁支持部の通気性部材が合成樹脂製の網又は不織布で形成されていることを特徴とする農業用保温フィルム。
【請求項５】
請求項１または４記載の農業用保温フィルムにおいて、弁支持部の固着面を成す周辺部分が所定幅の合成樹脂製の補強材を固着して補強されていることを特徴とする農業用保温フィルム。
【手続補正２】
【補正対象書類名】明細書
【補正対象項目名】００１１
【補正方法】変更
【補正の内容】
【００１１】
請求項１の発明に係る農業用保温フィルムは、フィルム面にＳ字状の裂孔で形成されたフィルムに一部が連続した舌状の弁部と、フィルム裏面に前記弁部の形成領域全体を覆って通気性部材を重ね合わせ、該通気性部材の周囲が前記フィルム裏面に固着された弁支持部と、からなる弁構造を備え、前記弁構造がフィルム面に所定間隔で複数個配置されていることを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
請求項２の発明は、請求項１記載の農業用保温フィルムにおいて、弁部が複数の舌状に形成されていることを特徴とする。
【手続補正５】
【補正対象書類名】明細書
【補正対象項目名】００１４
【補正方法】変更
【補正の内容】
【００１４】
請求項３の発明は、請求項１または２記載の農業用保温フィルムにおいて、弁部が裂孔を囲う円の中に形成されていることを特徴とする。
【手続補正６】
【補正対象書類名】明細書
【補正対象項目名】００１５
【補正方法】変更
【補正の内容】
【００１５】
請求項４の発明は、請求項１記載の農業用保温フィルムにおいて、弁支持部の通気性部材が合成樹脂製の網又は不織布で形成されていることを特徴とする。
【手続補正７】
【補正対象書類名】明細書
【補正対象項目名】００１６
【補正方法】変更
【補正の内容】
【００１６】
請求項５の発明は、請求項１または４記載の農業用保温フィルムにおいて、弁支持部の固着面を成す周辺部分が所定幅の合成樹脂製の補強材を固着して補強されていることを特徴とする。
【手続補正８】
【補正対象書類名】明細書
【補正対象項目名】００１７
【補正方法】変更
【補正の内容】
【００１７】
上記の構成により、フィルム面にＳ字状の裂孔で形成されたフィルムに一部が連続した舌状の弁部がフィルム裏面に固着された通気性部材からなる弁支持部の上面（フイルム表面）側に位置されているので、弁支持部を通してフィルム裏面からフィルム表面へ向う気流によって舌状の弁部を開く力がフィルム張力（抵抗力）に打ち勝って舌状の弁部が押し開かれ、トンネル内部の過熱した空気が流出する。一方フィルム表面からフィルム裏面に向う気流によって弁部を閉じる力が働き、舌状の弁部が弁支持部の通気性部材に張付いて冷気の流入を遮る。
【手続補正９】
【補正対象書類名】明細書
【補正対象項目名】００１８
【補正方法】変更
【補正の内容】
【００１８】
舌状の弁部を囲むフィルム裏面の外周に、弁支持部の固着面が固定されているため、トンネルを張る力と共に弁の開口に抵抗する力が働く。また、Ｓ字状の裂孔で形成された舌状の弁部がフィルムに一部が連続して形成されているので、弁部が開口する場合、構造上ねじれの力が働く。
【手続補正１０】
【補正対象書類名】明細書
【補正対象項目名】００２１
【補正方法】変更
【補正の内容】
【００２１】
請求項５の発明によれば、弁支持部の固着面に所定幅の合成樹脂製の補強材を固着することにより、弁部を外周方向に展張させると共に、舌状の弁部が閉じた状態をさらに確実にする。